(57)【特許請求の範囲】
【請求項１】
下記構成要素▲１▼乃至▲９▼からなることを特徴とする電子冷却ユニット（ＥＣＵ−１）。
▲１▼  一方の面から風を導入し、他方の面側に送風するようにした軸流ファンモータ（１）のモータハウジング（３６）の一辺に切欠部（１４）を形成していること。
▲２▼  上記軸流ファンモータ（１）の一方の面側から送風されてくる風を上記軸流ファンモータ（１）の他方の面側に漏れないようにするための配置板（３）を上記軸流ファンモータ（１）の他方の面に取り付けていること。
▲３▼  ベース（４）の一方の面に放熱フィン（５）を形成したヒートシンク（２）の当該ベース（４）を他方の面側に向け且つ放熱フィン（５）を一方の面側に向け、上記切欠部（１４）の側方に隣接して上記ヒートシンク（２）を上記配置板（３）に取り付けていること。
▲４▼  上記切欠部（１４）と対向しない配置板（３）の端部に上記切欠部（１４）を介して上記軸流ファンモータ（１）によって送風されてくる風をヒートシンク（２）側にのみ送風できるようにするための風逃し防止辺（１６−１、・・・、１６−３）を一方の面側の上方に延びて形成していること。
▲５▼  上記ヒートシンク（２）と対向する配置板（３）の他方の面に絶縁材（２８）を取り付けていること。
▲６▼  上記絶縁材（２８）の他方の面にアルミニウム板のような熱良導性金属板からなる冷却板（９）を接触配置していること。
▲７▼  上記ヒートシンク（２）のベース（４）と対向する上記配置板（３）及び絶縁材（２９）位置にペルチェ素子（８）を収納配置するためのペルチェ素子収納用切欠部（２７）及び（２９）を形成していること。
▲８▼  冷える側の面を上記冷却板（９）側に向け且つ熱くなる側の面を上記ベース（４）側に向けて上記ペルチェ素子収納用切欠部（２７）及び（２９）内にペルチェ素子（８）を収納し、当該ペルチェ素子（８）を上記冷却板（９）と上記ベース（４）間に接触収納配置していること。
▲９▼  上記ヒートシンク（２）の放熱フィン（５）間にフェルト等の水分吸収体（６）を設けていること。
【請求項２】
請求項１において、水分収納部（７）を設け、その内部にフェルト等の水分吸収体（１０）を設け、上記水分吸収体（６）と接触させ、該水分吸収体（６）に水分（１３）を染み込ませたことを特徴とする電子冷却ユニット。
【請求項３】
請求項１又は請求項２において、水分貯蔵部（１２）を設け、該水分貯蔵部（１２）に水分（１３）を貯蔵し、水分連通材（１１）を介して上記水分（１３）と上記水分吸収体（６）又は（１０）と連通し、上記水分連通材（１１）を介して上記水分貯蔵部（１２）内の水分（１３）を上記水分吸収体（６）又は（１０）に補給するようにしたことを特徴とする電子冷却ユニット。
【発明の詳細な説明】
【０００１】
【発明の属する技術分野】
本発明は、コピーマシンの主要部、コンピュータのＭＰＵ、ＣＰＵ、その他の精密機器や産業機器の主要部、あるいは娯楽などの関係では、キャップ、ハット、バイザーなどの帽子等の頭部装着体に取り付けて人の前頭部を冷却するようにした頭部冷却装置等、特にレーサー、地下工事作業者、建築現場作業者等が装着するヘルメットに装着できるようにした厚みが薄く小型で軽量な冷却機能付ヘルメットに適する電子冷却ユニットに関するが、それ以外にも用途の多い電子冷却ユニットに関する。
【０００２】
【従来技術】
帽子とペルチェ素子を組み合わせて、帽子を装着する者の前頭部を冷却するようにした冷却帽子は、既に本件出願人の開示した特開平４−１９４００４号公報や、その他、特開昭６０−９４６０９号公報にて公知になっている。
【０００３】
これらの冷却帽子は、帽子を装着する者の前頭部と当接する帽子の部位に冷却板を備え、その表面部にペルチェ素子を配置し、更にその表面部に放熱板を装着した構成となっている。
【０００４】
かかる冷却帽子によると、ペルチェ素子の裏面部が冷却されるために、それに接する冷却板が冷たくなり、冷却板に接する前頭部が冷たさを感ずるので、この冷却帽子を装着し、ていれば、郊外においても涼しさを感じる。
従って、この冷却帽子は、ゴルフその他のスポーツをする者にとって快適な気分を与える。
【０００５】
上記冷却帽子は、確かに利点があるものの、小さな容量のペルチェ素子では、その冷却効果に限界があり、更に改良しなければならない。
勿論、高価で容量の大きなペルチェ素子を用いれば、更に冷却効果を高めることができるが、消費電力が大きくなり、価格的にも高価になり量産向きにならない。
即ち、小さな容量のペルチェ素子を用いて尚且つ効率良好で、厚みの薄い小型の電子冷却ユニットを安価に形成することができなかった。
【０００６】
一般に、冷却板に接するペルチェ素子面は冷たくなる反面、放熱板と接するペルチェ素子面は熱くなる。
しかるに、この熱くなったペルチェ素子面には、単にアルミニウムなどで形成した放熱板が取り付けられているのみで、直ぐに熱飽和してしまい、十分な放熱が行えずペルチェ素子と接する冷却板面を十分に冷却できず、結果として、冷却帽子を装着する者が十分に涼しいと感ずる快適な涼しさを期待できない。
冷却帽子を例にして示したが、ヘルメットの場合も同様で、また他の用途に使用する場合も同じである。
【０００７】
それらの欠点を解消するために、先に本件発明者は、平成６年７月７日付特許願（発明の名称：冷却ラジエターファンを備えた帽子）など数件の改良案を出願申請した。
尚、それらは、従来の冷却帽子の欠点を解消するものであるが、上記したように、コピーマシンの主要部、コンピュータのＭＰＵ、ＣＰＵ、その他の精密機器や産業機器の主要部など多くの分野で、放熱など熱の対策に悩まされている現状を解決するものではない。
【０００８】
【発明の課題】
本発明の課題は、コピーマシンの主要部、コンピュータのＭＰＵ，ＣＰＵ、その他の精密機器や産業機器の主要部など多くの分野で、放熱など熱の対策に悩まされている現状を解決する為になされたもので、特に冷却機能を有する帽子やヘルメットなどにおいても、特に消費電力を小さくするために小さな容量のペルチェ素子であっても効率良く冷却できるようにした安価で効率の良好な厚みの薄い小型の電子冷却ユニットを提供することにある。
【０００９】
【課題を解決するための手段】
かかる本発明の課題は、一方の面から風を導入し、他方の面側に送風するようにした軸流ファンモータ１のモータハウジング３６の一辺に切欠部１４を形成し、上記軸流ファンモータ１の一方の面側から送風されてくる風を上記軸流ファンモータ１の他方の面側に漏れないようにするための配置板３を上記軸流ファンモータ１の他方の面に取り付け、ベース４の一方の面に放熱フィン５を形成したヒートシンク２の当該ベース４を他方の面側に向け且つ放熱フィン５を一方の面側に向け、上記切欠部１４の側方に隣接して上記ヒートシンク２を上記配置板３に取り付け、上記切欠部１４と対向しない配置板３の端部に上記切欠部１４を介して上記軸流ファンモータ１によって送風されてくる風をヒートシンク２側にのみ送風できるようにするための風逃し防止辺１６−１、・・・、１６−３を一方の面側の上方に延びて形成し、上記ヒートシンク２と対向する配置板３の他方の面に絶縁材２８を取り付け、上記絶縁材２８の他方の面にアルミニウム板のような熱良導性金属板からなる冷却板９を接触配置し、上記ヒートシンク２のベース４と対向する上記配置板３及び絶縁材２９位置にペルチェ素子８を収納配置するためのペルチェ素子収納用切欠部２７及び２９を形成し、冷える側の面を上記冷却板９側に向け且つ熱くなる側の面を上記ベース４側に向けて上記ペルチェ素子収納用切欠部２７及び２９内にペルチェ素子８を収納し、当該ペルチェ素子８を上記冷却板９と上記ベース４間に接触収納配置し、上記ヒートシンク２の放熱フィン５間にフェルト等の水分吸収体６を設けた電子冷却ユニットＥＣＵ−１を提供することで達成できる。
【００１０】
更に良くするためには、水分収納部７を設け、その内部にフェルト等の水分吸収体１０を設け、上記水分吸収体６と接触させ、該水分吸収体６に水分１３を染み込ませた電子冷却ユニットを提供することで達成できる。
【００１１】
更に良くするためには、水分貯蔵部１２を設け、該水分貯蔵部１２に水分１３を貯蔵し、水分連通材１１を介して上記水分１３と上記水分吸収体６又は１０と連通し、上記水分連通材１１を介して上記水分貯蔵部１２内の水分１３を上記水分吸収体６又は１０に補給するようにしたことを電子冷却ユニットを提供することで達成できる。
【００１２】
【実施の態様】
（作用）
図１乃至図７の一実施例の電子冷却ユニットＥＣＵ−１を参照して説明する。
一辺に切欠部１４を形成した図１乃至図５に示すＤＣブラシレス軸流ファンモータ１に通電する。同時にペルチェ素子８にも通電する。
ペルチェ素子８の他方（下）の面は冷却され、冷却板９が冷却されるが、ペルチェ素子８の一方（上）の面は過熱される。この熱はヒートシンク２のベース４を介して放熱フィン５によって放熱されるが、放熱フィン５の間には水分１３を染み込ませた水分吸収体６があるため、放熱効果を高める。
しかし、このままではすぐにヒートシンク２が飽和してしまい、放熱は十分に行われない。そこで、配置板３に切欠部１４をヒートシンク２に臨ましてＤＣブラシレス軸流ファンモータ１を配置してある。
このため、当該軸流ファンモータ１の下部に流れた風が配置板３に当接した後、切欠部１４を介してヒートシンク２及び水分吸収体６側に送風され、放熱フィン５及び水分吸収体６に籠もった熱を強制的に外部に効率良く放熱する。
【００１３】
このため、ヒートシンク２及び冷却板９が熱飽和することがないので、いつまでも効率良く冷却板９を冷やし続ける。この結果、冷却板９に接触させた図示しない被冷却部材の冷却を図ることができる。
この場合、冷却帽子や、冷却機能付ヘルメットの場合は、冷却板９に人間の前頭部が接触しているので、該前頭部を効率良く冷却し、人に快適な気分を与えることになる。
尚、軸流ファンモータ１によってヒートシンク２側へ送風されてきた風は、放熱フィン５間の開口端などから抜け出て外部に放散される。
【００１４】
軸流ファンモータ１の下部に流れた風が配置板３及び風逃し防止辺１６−１、・・・、１６−３によって切欠部１４を介してヒートシンク２及び水分吸収体６側に送風され、水分吸収体１０と接触されており、また水分貯蔵部１２内の水分１３と水分連通材１１を介して連通しているので、水分吸収体１０の水分１３あるいは水分貯蔵部１２内の水分１３が常に水分吸収体６に供給される。
【００１５】
【実施例】
図１は、本発明の一実施例を示す電子冷却ユニットＥＣＵ−１の分解斜視図で、図２は、同ユニットＥＣＵ−１を上面方向から見た外観斜視図で、図３は、同電子冷却ユニットＥＣＵ−１の軸流ファンモータ部分を除く縦断面図で、図５は、同電子冷却ユニットＥＤＵ−１の底面図で、図６は、同電子冷却ユニットＥＣＵ−１に用いた一辺を切欠した径流ファンモータタイプの別の形式のＤＣブラシレス軸流ファンモータの上面方向から見た外観斜視図で、図７は、同ＤＣブラシレス軸流ファンモータの縦断面図である。
【００１６】
以下、図１乃至図７を参照して本発明の一実施例としての電子冷却ユニットＥＣＵ−１について説明する。
【００１７】
ＤＣ軸流ファンモータは、ブラシ付整流子タイプのものとブラシレスタイプのものがあり、いずれを用いても良い。この実施例では、寿命の点を考慮すると望ましいタイプのＤＣブラシレスモータ方式を用いた例を説明する。
この実施例では、図１に示すように一辺に切欠部１４を形成したＤＣブラシレス軸流ファンモータ１を用いているが、このようなＤＣブラシレス軸流ファンモータ１は一般には市販されていない。一般市販のＤＣブラシレス軸流ファンモータは、切欠部１４が存在していないためである。
【００１８】
一般市販のＤＣブラシレス軸流ファンモータは、平面四角形状を成しており、一方の面から風を導入し、他方の面側に効率良く、送風するための回転ファン３５（インペラ４１）の外周に風が漏れでないようにするために外周に切欠部のないファンモータケーシングが設けられている。
しかし、厚みが薄く、小型軽量で、効率の良い本発明の電子冷却ユニットを得るためには、従来のＤＣブラシレス軸流ファンモータをそのまま用いることができない。
【００１９】
そこで本発明においては、一般市販のＤＣブラシレス軸流ファンモータに加工を加えている。
即ち、平面四角形状を成しており、一方の面から風を導入し、他方の面側に効率良く、送風するようにした一般市販のＤＣブラシレス軸流ファンモータのモータハウジングの一辺に切欠部１４を形成したモータハウジング３６を有するＤＣブラシレス軸流ファンモータ１を形成する。
【００２０】
配置板３は、長板状の樹脂などの絶縁材で形成したものを用いる。上記ＤＣブラシレス軸流ファンモータ１の一方の面側から送風されてくる風を上記軸流ファンモータ１の他方の面側に漏れないようにするための配置板３を上記軸流ファンモータ１の他方の面側に取り付ける。取り付け方法の一例は後記する。
【００２１】
配置板３の上面に、切欠部１４を後記するヒートシンク２に向けてＤＣブラシレス軸流ファンモータ１を搭載する。
この際、切欠部１４を除くＤＣブラシレス軸流ファンモータ１の他の辺からＤＣブラシレス軸流ファンモータ１の下部（他方の面側）に送られて来た風をその外側に逃さないように、すなわち上記ヒートシンク２側にのみ送風できるようにするために上記ヒートシンク２の取付部分１５の方向（切欠部１４側方向）を除いて上記配置板３の端部を垂直上方（一方の面側の上方）に延長折曲して風逃し防止辺１６−１、・・・、１６−３を一体形成している。
この風逃し防止辺１６−１、・・・、１６−３は、必ずしも配置板３と一体形成する必要はない。
【００２２】
配置板３の上面（一方の面）には、風逃し防止片１６−２側に寄せてＤＣブラシレス軸流ファンモータ１を取り付けることができるようにするための螺子１７を通すための透孔１８を形成している。
該透孔１８の上面にブッシュ１９を配置して、ブッシュ１９の透孔２０とＤＣブラシレス軸流ファンモータ１のコーナーフランジ２１に形成した透孔２２と合わせ、ＤＣブランシレス軸流ファンモータ１を設置し、ファンガード２３の止め孔２４を透孔２２と一致させてＤＣブラシレス軸流ファンモータ１の上面にファンガード２３を配置し、止め孔２４の上面にナット２５を配置し、螺子１７を配置板３に形成した透孔１８、ブッシュ１９の透孔２０、コーナーフレンジ２１に形成した透孔２２及び止め孔２４を通した後、ナット２５の螺子孔に螺子込むことで、配置板３にＤＣブラシレス軸流ファンモータ１を固定する。
【００２３】
上記ブラシレス軸流ファンモータ１は、その切断面１４をヒートシンク取着部分１５方向に臨まして配置板３の上面（一方の面）に上記のようにして取り付ける。
【００２４】
上記配置板３に取り付けたＤＣブラシレス軸流ファンモータ１に隣接して、放熱フィン５を上面（一方の面側）にし、且つベース４を下面（他方の面）にしてヒートシンク２を上記配置板３のヒートシンク取着部分１５の一方の面に配置する。ヒートシンク２の固定方法については後記するが、配置板３には、ヒートシンク２の固定のための透孔２６を設けると共に、ヒートシンク２のベース４に図示せず螺子孔を形成しておく。
【００２５】
尚、配置板３は、ＤＣブラシレス軸流ファンモータ１とヒートシンク２の何れも一緒に取り付けることができる長さのものに形成する必要は無く、ＤＣブラシレス軸流ファンモータ１とヒートシンク２それぞれの取り付け部分を別個独立に形成し、他の適宜部材で連結するようにしてもよい。
【００２６】
配置板３のヒートシンク取着部分１５には、ペルチェ素子８の外周と略々同じ形状のペルチェ素子収納用切欠部２７を形成している。２８はヒートシンク取着部分１５の他方の面に配置するための絶縁材で、上記ペルチェ素子収納切欠部２７と略々同じ形状のペルチェ素子収納用切欠部２９を当該ペルチェ素子収納切欠部２７と対向する位置に形成すると共に、上記透孔２６と対向する位置に透孔３０を形成している。尚、この場合、絶縁材２８としてフェルト等の水分を効率良く吸収できる材質のものを用いておくと更に都合が良い。
【００２７】
ペルチェ素子８を上記ペルチェ素子収納用切欠部２７及び２９内に収納してヒートシンク２のベース４の下部にペルチェ素子８を熱良導性両面テープを介して接着した後、ヒートシンク取着部分１５の下面に絶縁材２８を介してアルミニウム等の熱良伝導性の金属からなる冷却板９を上記ペルチェ素子８の下面に接着した熱良伝導性両面テープに接着する。尚、ペルチェ素子８を上記ペルチェ素子収納用切欠部２７及び２９内に収納するに当たっては、ペルチェ素子８をその冷える側の面を上記冷却板９側に向け且つ熱くなる側の面を上記ベース４側に向けて上記ペルチェ素子収納用切欠部２７及び２９内に収納し、当該ペルチェ素子８を上記冷却板９と上記ベース４間に接触収納配置するようにする必要がある。もしも逆に配置した場合には、逆電電源極性を逆にする。
上記において、冷却板９には、上記透孔３０と対向する位置に透孔３１を形成しているので、冷却板９の下部方向から螺子３２を上記透孔３１、３０及び２６を通して上記ベース４に形成した図示せず螺子孔に螺子込むことで、取着部分１５の下部に絶縁材２８及び冷却板９を保持すると共に、ベース４の下部にペルチェ素子８を接着保持させる。５２は、ペルチェ素子８のリード線である。
【００２８】
ヒートシンク２の放熱フィン５間には、フェルト等の水分吸収体６を配置する。上記ヒートシンク２に隣接して、上記風逃し防止辺１６−２と対向する取着部分１５の端部に水分収納部７を接着剤などの手段を用いて配置する。
【００２９】
この水分収納部７内にはフェルト等の水分吸収体１０を収納しておく。水分収納体７は、図１に示すように密閉されたものであるときには、水分連通材１１と同様な水分連通１１’を用いて水分吸収体６と水分吸収部７内の水分吸収体１０の水分と連通させて水分吸収対６の水分の補給を行えるようにするのがよい。
【００３０】
しかし、水分収納部７の上記水分吸収体６と対向する切欠部３３部分を予め削除した水分収納部７を用いるときには、この電子冷却ユニットＥＣＵ−１を縦てて用いた場合には、水分吸収体６に含ませた水分垂れを防止し、尚且つ水分収納部７内の水分吸収体１０内に水分を吸収保持でき、しかも、水分吸収体６の水分の減少時には、水分吸収体６と１０を切欠部３３を介して接触させておくことで、水分吸収体１０内の水分１３を水分吸収体６に補給できるようにしておくとよい。
【００３１】
配置板３の防止辺１６−２と対向する端部の上記防止辺１６−３の延長線位置の取付部分１５には、その側方を更に延長して水分貯蔵部配置部３４を設け、その上面に水分１３を満たした水分貯蔵部１２を接着剤などの適宜な手段によって取り付けている。水分貯蔵部１２内の水分１３に一端を浸した水分連通材１１の他端を上記水分吸収体６に連通させて、水分吸収体６内の水分が減少したとき、水分貯蔵部１２内の水分１３を水分連通材１１を介して水分吸収対６内に補給できるようにしている。
【００３２】
なお、上記したことと関連して、上記水分貯蔵部７が、切欠部３３を形成し、水分吸収体６と水分貯蔵部７内の水分吸収体１０とを連通接触させてある場合には、図１の点線で示すように水分貯蔵部１２内の水分１３に一端を浸した水分連通材１１’の他端を水分吸収体１０に接触させておいてもよい。この場合には、水分貯蔵部１２内の水分１３が水分収納部７内の水分吸収体１０を経由し、これと接触する放熱フィン５間の水分吸収体６に水分の補給を行える。
【００３３】
図６及び図７のＤＣブラシレス軸流ファンモータ１’を参照して、上記電子冷却ユニットＥＣＵ−１に用いた一例としてのＤＣブラシレス軸流ファンモータ１について以下に、簡単に説明する。
【００３４】
ＤＣブラシレス軸流ファンモータ１’はＤＣブラシレス軸流ファンモータ１の下面を板４５で閉じたものとなっている。尚、ＤＣブラシレス軸流ファンモータ１’はＤＣブラシレス軸流ファンモータ１のＦ面を板４５で閉じただけの違いなので、以下においてはＤＣブラシレス軸流ファンモータ１を中心に説明する。
【００３５】
ＤＣブラシレス軸流ファンモータ１は、回転子となる回転ファン３５と固定子となるファンモータハウジング３６及びステータ電機子３７を持つ。
【００３６】
回転ファン３５はマグネット保持部３８の下面に多極（例えば、Ｎ、Ｓの磁極を交互に持つ４極又は６極）の界磁マグネット３９を持つ。４０はロータヨークである。４１は、マグネット保持部３８の外周に形成したインペラである。
【００３７】
上記インペラ４１と対向するファンモータハウジング３６の下部には、当該ファンモータハウジング３６とステータ電機子配置部４２とを連結するステー４３が設けられ、ステー４３間には、インペラ４１の回転によって上部から送風されてきた風を当該ＤＣブラシレス軸流ファンモータ１の下部に排出するための図示せず透孔４４を有する。
ＤＣブラシレス軸流ファンモータ１’の場合には、ＤＣブラシレス軸流ファンモータ１の下面に更に板４５を接着しているので、上記透孔４４からインペラ４１によって送風されて来た風がその下面方向に漏れ流れないようになっている。
このようなＤＣブラシレス軸流ファンモータ１’を用いる場合には、ＤＣブラシレス軸流ファンモータ１と同様に配置板３の上面に配置すればよい。
【００３８】
界磁マグネット３９と軸方向の空隙を介して対向するステータ電機子配置部４２に配置されたステータ電機子３７は、当該ステータ電機子配置部４２にプリント基板４６を配置し、更にその上にステータヨーク４７を配置し、そのステータヨーク４７の上面を絶縁して、その上に複数個の空心型の電機子コイル４８を単相通電配置している。これらステータ電機子３８は、界磁マグネット３９のＮ極、Ｓ極の磁極を検出するための図示せずホール素子などの位置検知素子と単相通電形半導体整流回路を持つ。４９は玉軸承、５０は滑り軸承で、マグネット保持部３８に取り付けた回転軸５１を上記玉軸承４９及び滑り軸承５０によって回転自在に支承することで回転ファン３５を回転自在に支持している。尚、ステータ電機子３８側には、当該軸流ファンモータ１、１’を自起動回転させるためのレラクタンストルク発生部材５３を設けている。
【００３９】
【効果】
本発明によれば、大きなファンモータやヒートシンク等を用いなくて済み、しかも十分に冷却板を効率良く冷やすことが出来、種々の冷却を必要とするコンピュータ、パソコン等の電子機器、冷却機能付帽子や同じく冷却機能付ヘルメットなどに適する厚みが薄く、小型軽量且つ安価な効率の良い電子冷却ユニットを提供できる。
【図面の簡単な説明】
図１  電子冷却ユニットの分解斜視図である。
図２  同電子冷却ユニットを上面方向から見た外観斜視図である。
図３  同電子冷却ユニットを上面方向から見た一部切欠した上面図である。
図４  同電子冷却ユニットの軸流ファンモータ部分を除く縦断面図である。
図５  同電子冷却ユニットの底面図である。
図６  同電子冷却ユニットに用いて最適な一辺を切欠した別形式の径流ファンモータタイプのＤＣブラシレス軸流ファンモータの上面方向から見た外観斜視図である。
図７  同ＤＣブラシレス軸流ファンモータの縦断面図である。
（記号及び符号の説明）
ＥＣＵ−１  電子冷却ユニット
１、１’    （ＤＣブラシレス）軸流ファンモータ
２          ヒートシンク
３          配置板
４          ベース
５          放熱フィン
６          水分吸収体
７          水分収納部
８          ペルチェ素子
９          冷却板
１０        水分吸収体
１１        水分連通材
１２        水分貯蔵部
１３        水分
１４        切欠部
１５        ヒートシンク取着部分
１６−１、・・・、１６−３    風逃し防止辺
１７        螺子
１８        透孔
１９        ブッシュ
２０        透孔
２１        コーナーフランジ
２２        透孔
２３        ファンガード
２４        止め孔
２５        ナット
２６        透孔
２７        ペルチェ素子収納用切欠部
２８        絶縁材
２９        ペルチェ素子収納用切欠部
３０、３１  透孔
３２        螺子
３３        切欠部
３４        水分貯蔵部配置部
３５        回転ファン
３６        ファンモータケーシング
３７        ステータ電機子
３８        マグネット保持部
３９        界磁マグネット
４０        ロータヨーク
４１        インペラ
４２        ステータ電機子
４３        ステー
４４        透孔
４５        板
４６        プリント基板
４７        ステータヨーク
４８        電機子コイル
４９        玉軸承
５０        滑り軸承
５１        回転軸
５２        リード線
５３        レラクタンストルク発生部材
【図１】
0003653529.tif 000002
【図２】
0003653529.tif 000003
【図３】
0003653529.tif 000004
【図４】
0003653529.tif 000005
【図５】
0003653529.tif 000006
【図６】
0003653529.tif 000007
【図７】
0003653529.tif 000008